(57)【要約】      （修正有）【課題】確実にＩＢＯＣ方式等のハイブリッド放送搬送波を検出することを可能とするラジオ受信機及び搬送波検出方法を提供することを目的とする。【解決手段】放送周波数に同調可能な同調部（２１）と、同調部が同調した周波数における放送搬送波検出信号を生成する信号生成部（２３）と、ハイブリッド放送搬送波のプロファイルに応じてシフト周波数を設定し、設定されたシフト周波数に同調部、ＰＬＬ（２６）およびＩＦＰ（４５）を同調させて信号生成部から放送搬送波検出信号を取得し、放送搬送波検出信号に基づいてハイブリッド放送搬送波を検出する制御部（６０）を有することを特徴とするラジオ受信機（１）。【選択図】図１
2007336050.tif 000002
【特許請求の範囲】
【請求項１】
ハイブリッド放送搬送波を受信するラジオ受信機であって、
放送周波数に同調可能な同調部と、
前記同調部が同調した周波数における放送搬送波検出信号を生成する信号生成部と、
ハイブリッド放送搬送波のプロファイルに応じてシフト周波数を設定し、設定されたシフト周波数に前記同調部を同調させて前記信号生成部から放送搬送波検出信号を取得し、前記放送搬送波検出信号に基づいてハイブリッド放送搬送波を検出する制御部と、
を有することを特徴とするラジオ受信機。
【請求項２】
ハイブリッド放送搬送波を受信するラジオ受信機であって、
放送周波数に同調可能な同調部と、
前記同調部が同調した周波数における放送搬送波検出信号を生成する信号生成部と、
割当周波数から所定周波数だけずらしたシフト周波数を設定し、設定されたシフト周波数に前記同調部を同調させて前記信号生成部から放送搬送波検出信号を取得し、前記放送搬送波検出信号に基づいてハイブリッド放送搬送波を検出する制御部と、
を有することを特徴とするラジオ受信機。
【請求項３】
前記制御部は、前記シフト周波数を前記割当周波数からずらす方向を、選局方向に応じて変更する、請求項２に記載のラジオ受信機。
【請求項４】
前記制御部は、前記シフト周波数を前記割当周波数からずらす方向を、選局方向及び放送周波数の変調方式に応じて変更する、請求項２に記載のラジオ受信機。
【請求項５】
前記制御部は、前記シフト周波数を前記割当周波数からずらす周波数値を、放送周波数の変調方式に応じて変更する、請求項２に記載のラジオ受信機。
【請求項６】
前記制御部は、ハイブリッド放送搬送波を検出した場合、次回のシフト周波数のステップ値を変更する、請求項２〜５の何れか一項に記載のラジオ受信機。
【請求項７】
前記制御部は、ハイブリッド放送搬送波を検出した場合、次回の前記放送搬送波検出信号に基づくハイブリッド放送搬送波の検出レベルを変更する、請求項２〜５の何れか一項に記載のラジオ受信機。
【請求項８】
放送周波数に同調可能な同調部及び前記同調部が同調した周波数における放送搬送波検出信号を生成する信号生成部を有するラジオ受信機におけるハイブリッド放送搬送波の検出方法であって、
ハイブリッド放送搬送波のプロファイルに応じてシフト周波数を設定し、
設定されたシフト周波数に前記同調部を同調させて前記信号生成部から放送搬送波検出信号を取得し、
前記放送搬送波検出信号に基づいてハイブリッド放送搬送波を検出する、
ステップを有することを特徴とする搬送波検出方法。
【請求項９】
放送周波数に同調可能な同調部及び前記同調部が同調した周波数における放送搬送波検出信号を生成する信号生成部を有するラジオ受信機におけるハイブリッド放送搬送波の検出方法であって、
割当周波数から所定周波数だけずらしてシフト周波数を設定し、
設定されたシフト周波数に前記同調部を同調させて前記信号生成部から放送搬送波検出信号を取得し、
前記放送搬送波検出信号に基づいてハイブリッド放送搬送波を検出する、
ステップを有することを特徴とする搬送波検出方法。
【発明の詳細な説明】
【技術分野】
【０００１】
本発明は、ラジオ受信機及びラジオ受信機における搬送波検出方法に関し、特に米国の地上波デジタル音声放送であるＩＢＯＣ（In Band on Channel)方式等のハイブリッド方式のＨＤ（High Definition)ラジオ放送搬送波を受信するラジオ受信機及び搬送波検出方法に関するものである。
【背景技術】
【０００２】
ＩＢＯＣ方式のＨＤラジオ放送搬送波を採用した場合、アナログ放送搬送波にデジタル放送搬送波を追加することができるため、ＨＤラジオ受信機ではデジタル放送搬送波を利用して音質を向上させることが可能となる。なお、このようなＩＢＯＣ方式のＨＤラジオ放送搬送波におけるデジタル放送搬送波は、周波数帯域上でアナログ放送搬送波に隣接した両側に位置するよう配置されており（例えば、特許文献１、参照）、このような放送波はハイブリッド方式とも言われている。
【０００３】
しかしながら、全ての放送局がＩＢＯＣ方式のＨＤラジオ放送搬送波を同時に放送するとは限らないことから、特定のアナログ放送搬送波の両側にデジタル放送搬送波が追加されて放送されている場合と、アナログ放送搬送波のみが放送されている場合とが混在する状況が考えられる。このような状況で、ＨＤラジオ受信機がシーク（検索）動作を行うと、２種類のスペクトラムが混在していることから、シーク動作の誤停止及び／又は誤受信を発生するという不具合があった。
【０００４】
【特許文献１】特開２０００−４１７４号公報（図６、３頁）
【発明の開示】
【発明が解決しようとする課題】
【０００５】
ＩＢＯＣ方式のＨＤラジオ放送搬送波とアナログ放送搬送波が混在する場合に、アナログ放送搬送波を検出するシーク動作では、アナログ放送搬送波の両側のデジタル放送搬送波が最初に検出されてしまい、シーク動作が一旦停止されてしまう場合がある。しかしながら、その部分にはアナログ放送搬送波が存在しないため、ノイズが受信機のスピーカから出力されることとなる。なお、検出感度を落として、デジタル放送搬送波を検出しないようにしてシーク動作を行うと、逆に弱電界のチャンネルのアナログ放送搬送波を検出できないという不具合が生じる。
【０００６】
図１１を用いて、上記シーク動作における不具合の発生について説明する。図に示すように、例えば、ＦＭ放送局は、２００ｋＨｚ毎に設定された周波数（以下「割当周波数」と言う）の何れかを中心周波数とする周波数帯を有している。図において、矢印１１００は上向きシーク動作の方向（周波数を増加させる方向）を示し、１１０１〜１１０６は、割当周波数と一致した中心周波数を有する帯域フィルタの帯域幅（約１００ｋＨｚ）を示している。また、放送搬送波１１１０は中心周波数が９９．７ＭＨｚのＦＭアナログ放送搬送波であり、放送搬送波１１２０は中心周波数が１００．１ＭＨｚのＩＢＯＣ方式のＦＭ用ＨＤラジオ放送搬送波である。放送搬送波１１２０は、アナログ放送搬送波１１２１とその両側に配置されたデジタル放送搬送波１１２２及び１１２３を有している。
【０００７】
ユーザが上向きシーク動作を指示すると、受信機は、１１０１から１１０６へ向けて帯域フィルタの中心周波数を２００ｋＨｚずつＵＰさせていき、各周波数において同調動作を行い、その周波数において放送搬送波が存在するか否かの判別を行う。図１１において、帯域フィルタが１１０２及び１１０４に設定された場合には、その部分にはアナログ放送搬送波が存在するため、放送搬送波の検出を行うことが可能である。しかしながら、帯域フィルタが１１０３及び１１０５に設定された場合には、ＩＢＯＣ方式のＦＭ用のＨＤラジオ放送搬送波１１２０のデジタル放送搬送波１１２２及び１１２３を検出して、シーク動作が停止されてしまうという不具合が生じる。さらに、その部分にはアナログ放送搬送波が存在しないため、ノイズが受信機のスピーカから出力されてしまうという不具合が生じる。
【０００８】
また、ＩＢＯＣ方式のＨＤラジオ放送搬送波とアナログ放送搬送波が混在する場合に、デジタル放送搬送波を重視するシーク動作では、チャンネル毎にデコード処理してデジタル放送搬送波かアナログ放送搬送波かを判別する必要が生じ、シーク動作に時間がかかるという不具合がある。
【０００９】
そこで、本発明は、ＩＢＯＣ方式のようなデジタル放送搬送波とアナログ放送搬送波が混在する場合に、短時間で確実にシーク動作を行うことが可能なラジオ受信機及び搬送波検出方法を提供することを目的とする。
【００１０】
また、本発明は、ＩＢＯＣ方式のようなデジタル放送搬送波とアナログ放送搬送波が混在する場合に、シーク時の検出感度を低下させることなく、確実にシーク動作を行うことが可能なラジオ受信機及び搬送波検出方法を提供することを目的とする。
【課題を解決するための手段】
【００１１】
上記課題を解決するために、本発明に係るラジオ受信機は、放送周波数に同調可能な同調部と、同調部が同調した周波数における放送搬送波検出信号を生成する信号生成部と、ハイブリッド放送搬送波のプロファイルに応じてシフト周波数を設定し、設定されたシフト周波数に同調部を同調させて信号生成部から放送搬送波検出信号を取得し、放送搬送波検出信号に基づいてハイブリッド放送搬送波を検出する制御部を有することを特徴とする。
【００１２】
また、上記課題を解決するために、本発明に係るラジオ受信機は、放送周波数に同調可能な同調部と、同調部が同調した周波数における放送搬送波検出信号を生成する信号生成部と、割当周波数から所定周波数だけずらしてシフト周波数を設定し、設定されたシフト周波数に同調部を同調させて信号生成部から放送搬送波検出信号を取得し、放送搬送波検出信号に基づいてハイブリッド放送搬送波を検出する制御部を有することを特徴とする。
【００１３】
さらに、本発明に係るラジオ受信機では、制御部は、シフト周波数を割当周波数からずらす方向を、選局方向に応じて変更することが好ましく、選局方向及び放送周波数の変調方式に応じて変更することがさらに好ましい。例えば、ＦＭ放送の場合、上向きシーク動作時には下側に５０ｋＨｚだけシフト周波数をずらし、下向きシーク動作時には上側に５０ｋＨｚだけシフト周波数をずらすように構成した。
【００１４】
さらに、本発明に係るラジオ受信機では、制御部は、シフト周波数を割当周波数からずらす周波数値を、放送周波数の変調方式に応じて変更することが好ましい。例えば、ＦＭ放送とＡＭ放送に応じて、シフト周波数を割当周波数からずらす所定周波数値を変更するように構成した。
【００１５】
さらに、本発明に係るラジオ受信機では、制御部は、ハイブリッド放送搬送波を検出した場合、次回のシフト周波数のステップ値を変更することが好ましい。ハイブリッド放送搬送波のアナログ放送搬送波を検出した場合、次回のシフト周波数が同じハイブリッド放送搬送波のデジタル放送搬送波部分に対応することから、次回のシフト周波数を１回飛ばして、同じハイブリッド放送搬送波のデジタル放送搬送波部分を検出しないように構成した。
【００１６】
さらに、本発明に係るラジオ受信機では、制御部は、ハイブリッド放送搬送波を検出した場合、次回の放送搬送波検出信号に基づく検出レベルを変更することが好ましい。ハイブリッド放送搬送波のアナログ放送搬送波を検出した場合、次回のシフト周波数が同じハイブリッド放送搬送波のデジタル放送搬送波部分に対応することから、検出レベルを低下させて、同じＨＤラジオ放送搬送波のデジタル放送搬送波部分を検出しないように構成した。
【００１７】
また、上記課題を解決するために、本発明に係る放送搬送波の検出方法は、ハイブリッド放送搬送波のプロファイルに応じてシフト周波数を設定し、設定されたシフト周波数に同調部を同調させて信号生成部から放送搬送波検出信号を取得し、放送搬送波検出信号に基づいてハイブリッド放送搬送波を検出するステップを有することを特徴とする。
【００１８】
また、上記課題を解決するために、本発明に係る放送搬送波の検出方法は割当周波数から所定周波数だけずらしてシフト周波数を設定し、設定されたシフト周波数に同調部を同調させて信号生成部から放送搬送波検出信号を取得し、放送搬送波検出信号に基づいてハイブリッド放送搬送波を検出するステップを有することを特徴とする。
【発明の効果】
【００１９】
本発明に係るラジオ受信機及び放送搬送波検出方法によれば、例えばＩＢＯＣ方式のような放送方式におけるデジタル放送搬送波の特徴的構成を認識してその検出を行うので、シーク動作時間を短縮することが可能となる。
【発明を実施するための最良の形態】
【００２０】
以下図面を参照して、本発明に係るラジオ受信機及び搬送波検出方法について説明する。なお、以下では、ハイブリッド放送搬送波の代表的な例として、米国の地上波デジタル音声放送であるＨＤラジオ放送搬送波を例にして説明を行う。また、ハイブリッド放送搬送波とは、ＨＤラジオ放送搬送波のように、アナログ放送搬送波とデジタル放送搬送波とを合体させたような放送搬送波のことを言う。
【００２１】
図１は、本発明に係わるラジオ受信機の一例（ＦＭ放送用）の概要を示す図である。
【００２２】
ラジオ受信機１は、前処理部２０、ＩＦ（Intermediate Frequency）フィルタ回路３０、デジタル信号処理部４０、ＩＢＯＣ処理部５０、ＣＰＵ等から構成される制御部６０、ＲＡＭ、ＲＯＭ及び／または各種メモリ等から構成される記憶部７０、及び操作部８０等から構成され、アンテナ１０及びスピーカ等から構成される音声出力部９０と接続されている。
【００２３】
前処理部２０は、アンテナ１０からの信号を受信する電子同調方式の同調回路２１、ＲＦ（Radio Frequency）増幅回路２２、ＲＦ−ＡＧＣ（Auto Gain Control）回路２３、第１混合回路２４、第１局所発振回路２５及びＰＬＬ選局回路２６等から構成され、制御部６０によって制御される。ＲＦ増幅回路２２は、ＲＦ−ＡＧＣ回路２３によってゲイン調整がなされるように構成され、ＲＦ−ＡＧＣ回路２３からのＳ１レベル信号（電界状態を示す信号）が後述するＩＢＯＣ方式のデジタル放送搬送波の検出に利用される。第１局所発振回路２５は、ＰＬＬシンセサイザ方式で、制御部６０からの制御信号に応じてＰＬＬ選局回路２６から供給されるＰＬＬ制御信号に従い、所定の周波数ステップで第１局所発振信号を生成する。ＲＦ増幅回路２２で増幅された高周波の受信信号は第１混合回路２４で第１局所発振信号と混合されて中間周波数信号に変換され、ＩＦフィルタ回路３０に入力される。
【００２４】
ＩＦフィルタ回路３０は、約２００ＫＨｚの帯域幅を有するＢＰＦ（band Pass Filter）であるＮＦ３１と、約４００ＫＨｚの帯域幅を有するＢＰＦであるＷＦ３２を含み、制御部６０からの制御信号によって切換制御される。ＮＦ３１及びＷＦ３２では、入力された中間周波数信号の中心周波数に対して所定の帯域に含まれる成分を抽出するアナログフィルタである。
【００２５】
デジタル信号処理部４０は、ＩＦ増幅回路４１、Ａ／Ｄ変換回路４２、第２局所発振回路４３、第２混合回路４４、ＩＦプロセッサ回路４５、ＩＦ−ＡＧＣ回路４６、切換回路４７及びＤ／Ａ変換回路４８等から構成され、制御部６０によって制御される。ＩＦ増幅回路４１は、ＩＦ−ＡＧＣ回路４６によってゲイン調整がなされるように構成されている。
【００２６】
ＩＦフィルタ回路３０を通過したＩＦ周波数信号は、ＩＦ増幅回路４１で増幅され、Ａ／Ｄ変換回路４２においてデジタル信号に変換されて、第２局所発振回路４３から出力される第２局所発振信号と第２混合回路４４において混合され、ＩＦプロセッサ回路４５に入力される。ＩＦプロセッサ回路４５は、アナログ放送搬送波の音声信号を切換回路４７に出力し、デジタル放送搬送波の信号をＩＢＯＣ処理部５０に出力する。ＩＦプロセッサ回路４５については、後述する。
【００２７】
ＩＢＯＣ処理部５０は、復調部５１及びチャンネルデコーダ５２等から構成され、制御部６０によって制御される。復調部５１は、デジタル放送搬送波に含まれるＯＦＤＭ（直交周波数分割変調）副搬送波を復調する機能を有している。復調された信号が音声信号の場合には、チャンネルデコーダ５２によって音声信号が生成され、切換回路４７に出力される。また、復調された信号にテキストデータや映像データが含まれる場合には、不図示の専用デコーダによってテキストデータや映像データが生成され、記憶部７０に記憶される。記憶されたテキストデータや映像データは、表示部（不図示）に所定のタイミングで表示等される。なお、テキストデータや映像データが生成されている場合には、現在復調されている放送波がデジタル放送搬送波であると判別することもできる。
【００２８】
制御部６０は、アナログ放送搬送波の音声信号又はデジタル放送搬送波からデコードされた音声信号の何れか一方を選択するように切換回路４７を制御する。切換回路４７によって選択された音声信号は、Ｄ／Ａ変換回路４８によってアナログ信号に変換されて、車載スピーカ等の出力手段９０に出力される。
【００２９】
操作部８０は、チューニング用、ボリューム設定用等の各種ボタンやつまみを含む。また、操作部８０には、少なくとも上向き（周波数が増加する方向）シーク用ボタン及び下向き（周波数が減少する方向）シーク用ボタンを含むものとする。
【００３０】
図２は、ＩＦプロセッサ回路４５のフィルタ切換構成の概略を示す図である。
【００３１】
図２に示すように、ＩＦプロセッサ回路４５は、第１切換スイッチ１０１、第２切換スイッチ１０２及び第３切換スイッチ１０３、ＦＭシーク用ＢＰＦ１１０、第１レベル検知部１１１、ＡＭシーク用ＢＰＦ１２０、第２レベル検知部１２１、ＦＭ放送搬送波の信号経路１３０、ＡＭアナログ用ＢＰＦ１４０及びＡＭデジタル用ＢＰＦ１５０等から構成される。
【００３２】
第１〜第３切換スイッチ１０１〜１０３は、制御部６０によって切換られる。ＦＭシーク用ＢＰＦ１１０は、帯域幅約１００ｋＨｚのデジタルフィルターであって、後述するＦＭ放送のシーク動作時に利用される。また、ＡＭシーク用ＢＰＦ１２０は、帯域幅約４ｋＨｚのデジタルフィルターであって、後述するＡＭ放送のシーク動作時に利用される。第１レベル検知部１１１からの第１検知信号及び第２レベル検知部１２１からの第２検知信号は、制御部６０へ送信されるように構成されている。
【００３３】
ＦＭ放送搬送波の信号経路１３０は、ＦＭデジタル放送及びＦＭアナログ放送受信時に、ＦＭ放送搬送波の信号用の経路として利用される。また、ＡＭアナログ用ＢＰＦ１４０は、ＡＭアナログ放送搬送波が包含されるような帯域幅約９ｋＨｚのデジタルフィルターであって、後述するＡＭアナログ放送受信時に利用される。さらに、ＡＭデジタル用ＢＰＦ１５０は、ＡＭデジタル放送搬送波が包含されるような帯域幅約３５ｋＨｚのデジタルフィルターであって、後述するＡＭデジタル放送受信時に利用される。
【００３４】
図３は、ＩＢＯＣ方式のＨＤラジオ放送搬送波のプロファイルを示した図である。図３（ａ）はＦＭ波の例を示し、図３（ｂ）はＡＭ波の例を示している。
【００３５】
図３（ａ）に示すように、アナログ放送搬送波（ＦＭアナログ信号）３０１の周波数帯域上の上側帯及び下側帯に隣接して、それぞれデジタル放送搬送波３０２及び３０３が配置されている。デジタル放送搬送波３０２及び３０３は、例えば、ＯＦＤＭ変調された複数の副搬送波から構成され、図示されるように、ＦＭアナログ信号の中心周波数から１３０ｋＨｚ〜１９９ｋＨｚ及び−１３０ｋＨｚ〜−１９９ｋＨｚ離れたスペクトルを占領している。さらに、デジタル放送搬送波３０２及び３０３のピーク値は、ＦＭアナログ信号のピーク値に対して−２５ｄＢ／ｋＨｚに設定されている。
【００３６】
図３（ｂ）に示すように、アナログ放送搬送波（ＡＭアナログ信号）３１１の周波数帯域上の上側帯及び下側帯に隣接して、それぞれ第１のデジタル放送搬送波３１２及び３１３が配置されている。デジタル放送搬送波３１２及び３１３は、例えば、ＯＦＤＭ変調された複数の副搬送波から構成され、図示されるように、ＡＭアナログ信号の中心周波数から５ｋＨｚ〜１５ｋＨｚ及び−１５ｋＨｚ〜−１５ｋＨｚ離れたスペクトルを占領している。さらに、ＩＢＯＣデジタル放送搬送波３１２及び３１３のピーク値は、ＡＭアナログ信号のピーク値に対して−２５ｄＢ／ｋＨｚに設定されている。さらに、アナログ放送搬送波３１１と第１のデジタル放送搬送波３１２及び２１３との間には、それぞれ第２のデジタル放送搬送波３１４及び３１５が配置されている。
【００３７】
図４は、本発明に係る受信方法のフローの一例（ＦＭ放送用）を示した図である。
【００３８】
受信フローは、予め図１に示すラジオ受信機１の制御部６０等に記憶されたプログラムに従って、主に制御部６０が各構成要素を共同して実行されるものとする。図４に示すフローが実行される時点において、ラジオ受信機１の電源はＯＮされ、各構成要素は動作可能な状態に維持されているものとする。
【００３９】
この処理は、ユーザによる操作部８０の所定ボタン（上向きシーク用ボタン又は下向きシーク用ボタン）の操作によって開始される（Ｓ１）。
【００４０】
制御部６０は、シーク動作の開始指示を受けて、現在の選局周波数の情報を取得し（Ｓ２）、ＩＦフィルタ回路３０を制御して、帯域幅約２００ｋＨｚのＮＦ３１を利用できるように切換えを行う（Ｓ３）。また、制御部６０は、ＩＦプロセッサ回路４５の第１及び第２切換スイッチ１０１及び１０２を切換えて、ＦＭシーク用ＢＰＦ１１０が利用できるように制御し、第１レベル検知部１１１からの第１検知信号を受信する。
【００４１】
ユーザにより操作されたボタンが上向きシークボタンの場合、制御部６０は、前処理部２０を制御して、割当周波数からシーク用のシフト周波数を下方へ５０ｋＨｚずらし（Ｓ４、Ｓ５）、割当周波数の１ステップ周波数分（２００ＫＨｚ）だけ同調周波数をＵＰさせる（Ｓ６）。即ち、制御部６０は、ＰＬＬ選局回路２６を制御してシフト周波数で同調回路２１を同調させ、ＦＭシーク用ＢＰＦ１１０の中心周波数をシフト周波数に一致させるように制御する。
【００４２】
次に、制御部６０は、第１レベル検知部１１１からの第１検知信号を取得して、ＦＭシーク用ＢＰＦ１１０の帯域幅内に放送搬送波が存在するか否かの判断を行う（Ｓ７）。放送搬送波が存在するか否かは第１検知信号の信号レベル等によって判断する。放送搬送波が存在しない（ヒットしない）と判断した場合には、Ｓ６に戻り、割当周波数の１ステップ周波数分（２００ＫＨｚ）だけ同調周波数をＵＰさせて、以後の動作を繰り返す。
【００４３】
ユーザにより操作されたボタンが下向きシークボタンの場合、制御部６０は、前処理部２０を制御して、割当周波数からシーク用のシフト周波数を上方へ５０ｋＨｚずらし（Ｓ４、Ｓ１５）、割当周波数の１ステップ周波数分（２００ＫＨｚ）だけ同調周波数をＤＯＷＮさせる（Ｓ１６）。即ち、制御部６０は、ＰＬＬ選局回路２６を制御してシフト周波数で同調回路２１を同調させ、ＦＭシーク用ＢＰＦ１１０の中心周波数をシフト周波数に一致させるように制御する。
【００４４】
次に、制御部６０は、第１レベル検知部１１１からの第１検知信号を取得して、ＦＭシーク用ＢＰＦ１１０の帯域幅内に放送搬送波が存在するか否かの判断を行う（Ｓ１７）。放送搬送波が存在するか否かは第１検知信号の信号レベル等によって判断する。放送搬送波が存在しない（ヒットしない）と判断した場合には、Ｓ１６に戻り、割当周波数の１ステップ周波数分（２００ＫＨｚ）だけ同調周波数をＤＯＷＮさせて、以後の動作を繰り返す。
【００４５】
Ｓ７又はＳ１７で、放送搬送波が存在する（ヒット）と判断された場合、次に、制御部６０は、ＩＦフィルタ回路３０を制御して、ＷＦ３２を利用できるように切換えを行う（Ｓ２０）。
【００４６】
制御部６０は、Ｓ６又はＳ１６で選択された周波数からＳ５又はＳ１５でシフトされた分を修正された中心周波数を中心とするように、ＷＦ３２の中心周波数を調整する（Ｓ２１）。次に、ＷＦ３２の帯域幅（約４００ｋＨｚ）内の放送搬送波全体に対応して出力されるＩＢＯＣ処理部５０からの出力に基づいて、制御部６０は、同調された放送搬送波が、ＦＭ用のＨＤラジオ放送搬送波なのか、それとも単なるＦＭアナログ放送搬送波なのかの判別を行う（Ｓ２２）。
【００４７】
Ｓ２２での判別は、例えば、デジタル放送搬送波が検出されるか否かによって行うことができる。この場合、制御部６０は、ＩＦプロセッサ回路４５の第１及び第３切換スイッチ１０１及び１０３を切換えて、ＦＭ放送搬送波経路１３０を利用できるようにし、ＷＦ３２を通過したＦＭ放送搬送波の信号がそのままＩＢＯＣ処理部５０へ入力されるように制御する。さらに、制御部６０は、ＩＢＯＣ処理部５０からの検出信号に基づいて、ＦＭ用のＨＤラジオ放送搬送波なのか、それとも単なるＦＭアナログ放送搬送波なのかの判別を行うことができる。
【００４８】
Ｓ２３の判別の結果、ＦＭ用のＨＤラジオ放送搬送波であると判別した場合には、シーク動作の次回ステップ設定を行って（Ｓ２３）、一連のシーク動作を終了する。次回ステップ設定とは、次回のシーク動作時に移動させるＮＦ３１のシフト周波数を一時的に変更するように設定することをいい、詳細は後述する。
【００４９】
図５は、ＦＭ放送の場合の上向きシーク動作を説明するための図である。
【００５０】
図５において、矢印５００は上向きシーク動作の方向（周波数を増加させる方向）を示し、５０１〜５０６は、５０ｋＨｚ下方にシフトされた（図４のＳ５参照）中心周波数を有するＦＭシーク用のＢＰＦ１１０の帯域幅（約１００ｋＨｚ）を示している。
【００５１】
ＦＭ放送局は、２００ｋＨｚ毎に配置された割当周波数の内の何れか１つを中心周波数とする周波数帯を有している。図５の場合、中心周波数９９．７ＭＨｚを有するＦＭアナログ放送搬送波５１０と、中心周波数１００．１ＭＨｚを有するＩＢＯＣ方式のＦＭ用のＨＤラジオ放送搬送波５２０（図３（ａ）参照）が９９．５〜１００．５ＭＨｚの範囲に存在するものとしている。
【００５２】
例えば、ある時点における選局周波数を取得して（図４のＳ２参照）、ＦＭシーク用ＢＰＦ１１０の中心周波数を取得した周波数から５０ｋＨｚ下側にシフトするように調整し（図４のＳ５参照）、ＦＭシーク用ＢＰＦ１１０の中心周波数を２００ｋＨｚ毎にＵＰさせて（図４のＳ６参照）、ＦＭシーク用ＢＰＦ１１０の帯域幅中に放送搬送波が存在するか否かを判断していく。
【００５３】
図５の場合では、ＦＭシーク用ＢＰＦ１１０の帯域幅を５０２とＵＰさせた時点で、アナログ放送搬送波５１０を検出して、一旦シーク動作が停止する。その後、再度、上向きシーク動作が再開された場合には、ＦＭシーク用ＢＰＦ１１０の帯域幅を５０４とＵＰした時点で、ＨＤラジオ放送搬送波５２０のアナログ放送波部分を検出して、一旦シーク動作が停止する。ＨＤラジオ放送搬送波５２０のアナログ放送波部分を検出した時点で、放送搬送波５２０がＨＤラジオ放送搬送波であることが、ＩＢＯＣ処理部５０を通じて制御部６０において判別される。検出した放送搬送波が、ＨＤラジオ放送搬送波である場合には、次回のステップ設定を１つ飛ばしに設定する（図４のＳ２４参照）。したがって、その後、再度、上向きシーク動作が再開された場合には、ＦＭシーク用ＢＰＦ１１０の帯域幅を５０５とＵＰさせずに、一回飛ばして５０６となるようにＵＰさせる。
【００５４】
このように、上向きシーク動作の場合に、シフト周波数（ＦＭシーク用ＢＰＦ１１０の中心周波数）を割当周波数より５０ｋＨｚ下方に設定することによって、ＩＢＯＣ方式のＦＭ用のＨＤラジオ放送搬送波の下側デジタル搬送波（図３（ａ）の３０２参照）の部分を検出することがなくなる。即ち、ＩＢＯＣ方式のＦＭ用のＨＤラジオ放送搬送波の下側（低周波数側）のデジタル放送搬送波を検出して、不必要にシーク動作が一旦停止されること及びノイズが出力されることが無くなる。
【００５５】
さらに、一旦ＩＢＯＣ方式のＦＭ用のＨＤラジオ放送搬送波を検出した場合には、次のステップを２００ｋＨｚＵＰではなく、一つ飛ばしの４００ｋＨｚＵＰとすることによって（５０５へ設定を飛ばす）、ＩＢＯＣ方式のＦＭ用のＨＤラジオ放送搬送波の上側デジタル搬送波（図３（ａ）の３０３参照）の部分を検出することがなくなる。即ち、ＩＢＯＣ方式のＦＭ用のＨＤラジオ放送搬送波の上側（高周波数側）のデジタル放送搬送波を検出して、不必要にシーク動作が一旦停止されること及びノイズが出力されることが無くなる。
【００５６】
図６は、ＦＭ放送の場合のフィルタの切換動作を説明するための図である。
【００５７】
図６において、矢印５００は上向きシーク動作の方向（周波数を増加させる方向）を示し、５０４は５０ｋＨｚ下方にシフトされた（図４のＳ５参照）中心周波数を有するＦＭシーク用ＢＰＦ１１０の帯域幅（約１００ｋＨｚ）を示し、６０１は中心周波数調整後（図４のＳ２１参照）のＷＦ３２の帯域幅（約４００ｋＨｚ）を示している。
【００５８】
図５の５０４において、放送搬送波５２０の存在が確認された場合には（図４のＳ７参照）、ＮＦ３１からＷＦ３２へのフィルタの切換えを行う（図４のＳ２０参照）。ＷＦ３２によって、ＩＢＯＣ方式のＦＭ用のＨＤラジオ放送搬送波５２０全体をカバーすることができ、存在が確認された放送搬送波５２０が、ＩＢＯＣ方式のＦＭ用のＨＤラジオ放送搬送波であることを判別することが可能となる。
【００５９】
図７は、ＦＭ放送の場合の下向きシーク動作を説明するための図である。
【００６０】
図７において、矢印７００は下向きシーク動作の方向（周波数を減少させる方向）を示し、７０１〜７０６は、５０ｋＨｚ上方にシフトされた（図４のＳ１５参照）中心周波数を有するＦＭシーク用ＢＰＦ１１０の帯域幅（約１００ｋＨｚ）を示している。
【００６１】
図５の場合同様、図７でも、中心周波数９９．７ＭＨｚを有するＦＭアナログ放送搬送波５１０と、中心周波数１００．１ＭＨｚを有するＩＢＯＣ方式のＦＭ用のＨＤラジオ放送搬送波５２０（図３（ａ）参照）が９９．５〜１００．５ＭＨｚの範囲に存在するものとしている。
【００６２】
例えば、ある時点における選局周波数を取得して（図４のＳ２参照）、ＦＭシーク用ＢＰＦ１１０の中心周波数を取得した周波数から５０ｋＨｚ上側にシフトするように調整し（図４のＳ１５参照）、ＦＭシーク用ＢＰＦ１１０の中心周波数を２００ｋＨｚ毎にＤＯＷＮさせて（図４のＳ１６参照）、ＦＭシーク用ＢＰＦ１１０の帯域幅中に放送搬送波が存在するか否かを判断していく。
【００６３】
図７の場合では、ＦＭシーク用ＢＰＦ１１０の帯域幅を７０３とＤＯＷＮさせた時点で、ＩＢＯＣ方式のＦＭ用のＨＤラジオ放送搬送波５２０を検出して、一旦シーク動作が停止する。放送搬送波５２０のアナログ放送波部分を検出した時点で、放送搬送波５２０がＦＭ用のＨＤラジオ放送搬送波であることが、ＩＢＯＣ処理部５０を通じて制御部６０において判別される。検出した放送搬送波が、ＦＭ用のＨＤラジオ放送搬送波である場合には、次回のステップ設定を１つ飛ばしに設定する（図４のＳ２４参照）。したがって、その後、再度、下向きシーク動作が再開された場合には、ＦＭシーク用ＢＰＦ１１０の帯域幅を７０４とＤＯＷＮさせずに、一回飛ばして７０５となるようにＤＯＷＮさせる。
【００６４】
このように、下向きシーク動作の場合に、シフト周波数（ＦＭシーク用ＢＰＦ１１０の中心周波数）を割当周波数より５０ｋＨｚ上方に設定することによって、ＩＢＯＣ方式のＦＭ用のＨＤラジオ放送搬送波の上側デジタル搬送波（図３（ａ）の３０３参照）の部分を検出することがなくなる。即ち、ＩＢＯＣ方式のＦＭ用のＨＤラジオ放送搬送波の上側（高周波数側）のデジタル放送搬送波を検出して、不必要にシーク動作が一旦停止されること及びノイズが出力されることが無くなる。
【００６５】
さらに、一旦ＩＢＯＣ方式のＦＭ用のＨＤラジオ放送搬送波を検出した場合には、次のステップを２００ｋＨｚＤＯＷＮではなく、一つ飛ばしの４００ｋＨｚＤＯＷＮとすることによって（７０４への設定を飛ばす）、ＩＢＯＣ方式のＦＭ用のＨＤラジオ放送搬送波の下側デジタル搬送波（図３（ａ）の３０２参照）の部分を検出することがなくなる。即ち、ＩＢＯＣ方式のＦＭ用のＨＤラジオ放送搬送波の下側（低周波数側）のデジタル放送搬送波を検出して、不必要にシーク動作が一旦停止されること及びノイズが出力されることが無くなる。
【００６６】
なお、上記のＦＭ受信方法の例におけるＦＭシーク用ＢＰＦ１１０の中心周波数のシフト量（５０ｋＨｚ）及びＦＭシーク用ＢＰＦ１１０の帯域幅は、一例であって、ＦＭ用のＨＤラジオ放送搬送波のプロファイルとの関係で適切な他の値を選択することが可能である。例えば、ＦＭシーク用ＢＰＦ１１０の中心周波数のシフト量及び帯域幅は、シーク方向に向かって手前側に存在するＦＭ用のＨＤラジオ放送搬送波のデジタル放送搬送波を避けるように設定すれば良い。
【００６７】
図８は、本発明に係る受信方法のフローの他の例（ＡＭ放送用）を示した図である。
【００６８】
受信フローは、予め図１に示すラジオ受信機１の制御部６０等に記憶されたプログラムに従って、主に制御部６０が各構成要素を共同して実行されるものとする。図８に示すフローが実行される時点において、ラジオ受信機１の電源はＯＮされ、各構成要素は動作可能な状態に維持されているものとする。
【００６９】
この処理は、ユーザによる操作部８０の所定ボタン（上向きシーク用ボタン又は下向きシーク用ボタン）の操作によって開始される（Ｓ３１）。
【００７０】
制御部６０は、シーク動作の開始指示を受けて、現在の選局周波数の情報を取得し（Ｓ３２）、ＩＦフィルタ回路３０を制御して、ＮＦ３１を利用できるように切換えを行う（Ｓ３３）。また、ＡＭ放送用のシーク動作では、ＩＦフィルタ回路３０は、常に帯域幅２００ｋＨｚのＮＦ３１を選択するように制御される。さらに、制御部６０は、ＩＦプロセッサ回路４５の第１及び第２切換スイッチ１０１及び１０２を切換えて、ＡＭシーク用ＢＰＦ１２０が利用できるように制御し、第２レベル検知部１２１からの第２検知信号を受信する。
【００７１】
ユーザにより操作されたボタンが上向きシークボタンの場合、制御部６０は、前処理部２０を制御して、割当周波数からシーク用のシフト周波数を上方へ３ｋＨｚずらし（Ｓ３５）、割当周波数の１ステップ周波数分（１０ｋＨｚ）だけ同調周波数をＵＰさせる（Ｓ３６）。即ち、制御部６０は、ＰＬＬ選局回路２６を制御してシフト周波数で同調回路２１を同調させ、ＡＭシーク用ＢＰＦ１２０の中心周波数をシフト周波数に一致させるように制御する。
【００７２】
次に、制御部６０は、第２レベル検知部１２１からの第２検知信号を取得して、ＡＭシーク用ＢＰＦ１２０の帯域幅内に放送搬送波が存在するか否かの判断を行う（Ｓ３７）。放送搬送波が存在するか否かは第２検知信号の信号レベル等によって判断する。放送搬送波が存在しない（ヒットしない）と判断した場合には、Ｓ３６に戻り、割当周波数の１ステップ周波数分（１０ｋＨｚ）だけ同調周波数をＵＰさせて、以後の動作を繰り返す。
【００７３】
Ｓ３７において、放送搬送波が存在する（ヒット）と判断された場合には、制御部６０は、その時点のＳ１レベル信号の信号レベルをＲＦ−ＡＧＣ回路２３から取得して（Ｓ３８）、予め設定した閾値レベル以上であるか否かの判断を行う（Ｓ３９）。予め設定した閾値レベル未満の場合には、Ｓ３６に戻り、割当周波数の１ステップ周波数分（１０ｋＨｚ）だけ同調周波数をＵＰさせて、以後の動作を繰り返す。Ｓ３９における閾値レベルの設定については後述する。
【００７４】
ユーザにより操作されたボタンが下向きシークボタンの場合、制御部６０は、前処理部２０を制御して、割当周波数からシーク用のシフト周波数を下方へ３ｋＨｚずらし（Ｓ４５）、割当周波数の１ステップ周波数分（１０ｋＨｚ）だけ同調周波数をＤＯＷＮさせる（Ｓ４６）。即ち、制御部６０は、ＰＬＬ選局回路２６を制御してシフト周波数で同調回路２１を同調させ、ＡＭシーク用ＢＰＦ１２０の中心周波数をシフト周波数に一致させるように制御する。
【００７５】
次に、制御部６０は、第２レベル検知部１２１からの第２検知信号を取得して、ＡＭシーク用ＢＰＦ１２０の帯域幅内に放送搬送波が存在するか否かの判断を行う（Ｓ４７）。放送搬送波が存在するか否かは第２検知信号の信号レベル等によって判断する。放送搬送波が存在しない（ヒットしない）と判断した場合には、Ｓ４６に戻り、割当周波数の１ステップ周波数分（１０ｋＨｚ）だけ同調周波数をＤＯＷＮさせて、以後の動作を繰り返す。
【００７６】
Ｓ４７において、放送搬送波が存在する（ヒット）と判断された場合には、制御部６０は、その時点のＳ１レベル信号の信号レベルをＲＦ−ＡＧＣ回路２３から取得して（Ｓ４８）、予め設定した閾値レベル以上であるか否かの判断を行う（Ｓ４９）。予め設定した閾値レベル未満の場合には、Ｓ４６に戻り、割当周波数の１ステップ周波数分（１０ｋＨｚ）だけ同調周波数をＵＰさせて、以後の動作を繰り返す。Ｓ４９における閾値レベルの設定については後述する。
【００７７】
Ｓ３７又はＳ４７で、Ｓ１レベル信号の信号レベルの閾値レベル以上と判断された場合には、制御部６０は、ＩＦプロセッサ回路４５の第１及び第３切換スイッチ１０１及び１０３を切換えて、ＡＭデジタル用ＢＰＦ１５０を利用できるようにし、ＮＦ３１及びＡＭデジタル用ＢＰＦ１５０を通過したＡＭ放送搬送波がＩＢＯＣ処理部５０へ入力されるように制御を行う（Ｓ５０）。
【００７８】
制御部６０は、Ｓ３６又はＳ４６で選択された周波数からＳ３５又はＳ４５でシフトされた分を修正された中心周波数を中心とするように、ＡＭデジタル用ＢＰＦ１５０の中心周波数を調整する（Ｓ５１）。
【００７９】
制御部６０は、ＩＢＯＣ処理部５０からの出力に基づいて、同調された放送搬送波が、ＡＭ用のＨＤラジオ放送搬送波なのか、それともＡＭアナログ放送搬送波なのかの判別を行う（Ｓ５２）。
【００８０】
Ｓ５２での判別は、例えば、デジタル放送搬送波が検出されるか否かによって行うことができる。この場合、制御部６０は、ＩＦプロセッサ回路４５の第１及び第３切換スイッチ１０１及び１０３を切換えて、ＡＭデジタル用ＢＰＦ１５０を利用できるようにし、ＮＦ３１及びＡＭデジタル用ＢＰＦ１５０を通過したＡＭ放送搬送波の信号がそのままＩＢＯＣ処理部５０へ入力されるように制御する。さらに、制御部６０は、ＩＢＯＣ処理部５０からの検出信号に基づいて、ＡＭ用のＨＤラジオ放送搬送波なのか、それとも単なるＡＭアナログ放送搬送波なのかの判別を行うことができる。
【００８１】
Ｓ５２の判別の結果、ＡＭ用のＨＤラジオ放送搬送波であると判別した場合には、後述するシーク動作の次回ステップ設定を行って（Ｓ５３）、一連のシーク動作を終了する。次回ステップ設定とは、次回のシーク動作時に移動させるＡＭシーク用ＢＰＦ１２０のシフト周波数を一時的に変更するように設定することをいい、詳細は後述する。
【００８２】
図９は、ＡＭ放送の場合の上向きシーク動作を説明するための図である。
【００８３】
図９において、矢印９００は上向きシーク動作の方向（周波数を増加させる方向）を示し、９０１〜９０６は、３ｋＨｚ上方にシフトされた（図８のＳ３５参照）中心周波数を有するＡＭシーク用ＢＰＦ１２０（帯域幅約４ｋＨｚ）を示している。
【００８４】
ＡＭ放送局は、１０ｋＨｚ毎に配置された割当周波数の何れか１つ付近を中心周波数とする周波数帯を有している。図９の場合、中心周波数９３０ｋＨｚを有するＡＭアナログ放送搬送波９１０と、中心周波数９５０ｋＨｚを有するＩＢＯＣ方式のＡＭ用のＨＤラジオ放送搬送波９２０（図３（ｂ）参照）が９２０〜９７０ｋＨｚの範囲に存在するものとしている。
【００８５】
例えば、ある時点における選局周波数を取得して（図８のＳ３２参照）、ＡＭシーク用ＢＰＦ１２０の中心周波数を取得した周波数から３ｋＨｚ上側にシフトするように調整し（図８のＳ３５参照）、１０ｋＨｚ毎にＡＭシーク用ＢＰＦ１２０の中心周波数をＵＰさせて（図８のＳ３６参照）、ＡＭシーク用ＢＰＦ１２０の帯域幅中に放送搬送波が存在するか否かを判断していく。
【００８６】
図９の場合では、ＡＭシーク用ＢＰＦ１２０の帯域幅を９０２とＵＰさせた時点で、アナログ放送搬送波９１０を検出して、一旦シーク動作が停止する。アナログ放送搬送波９１０に基づいて音声出力する場合には、ＩＦプロセッサ回路４５の第１及び第３切換スイッチ１０１及び１０３を切換えて、ＡＭアナログ用ＢＰＦ１４０を通過した信号を切換回路４７へ出力するように制御する。
【００８７】
その後、再度、上向きシーク動作が再開された場合には、ＡＭシーク用ＢＰＦ１２０の帯域幅を９０３とＵＰした時点で、ＨＤラジオ放送搬送波９２０の第２のデジタル放送波部分を検出するが、閾値レベルを第２のデジタル放送搬送波より大きく設定することによって、シーク動作を一旦停止しないようにしている（図８のＳ３９参照）。しかしながら、その後、ＡＭシーク用ＢＰＦ１２０の帯域幅を９０４とＵＰした時点で、ＨＤラジオ放送搬送波９２０のアナログ放送波部分を検出して、一旦シーク動作が停止する。ＨＤラジオ放送搬送波９２０のアナログ放送波部分を検出した時点で、放送搬送波９２０がＨＤラジオ放送搬送波であることが、ＩＢＯＣ処理部５０を通じて制御部６０において判別される。デジタル放送搬送波９２０に基づいて音声出力する場合には、ＩＦプロセッサ回路４５の第１及び第３切換スイッチ１０１及び１０３を切換えて、ＡＭデジタル用ＢＰＦ１５０を通過した信号をＩＢＯＣ処理部５０へ出力し、ＩＢＯＣ処理部５０でデコードされた信号を出力するように切換回路４７を制御する。
【００８８】
検出した放送搬送波が、ＨＤラジオ放送搬送波である場合には、次回のステップ設定を１つ飛ばしに設定する（図８のＳ５３参照）。したがって、その後、再度、上向きシーク動作が再開された場合には、ＡＭシーク用ＢＰＦ１２０の帯域幅を９０５とＵＰさせずに、一回飛ばして９０６となるようにＵＰさせる。
【００８９】
このように、上向きシーク動作の場合に、シフト周波数より３ｋＨｚ上方にＡＭシーク用ＢＰＦ１２０の中心周波数を設定することによって、ＩＢＯＣ方式のＡＭ用のＨＤラジオ放送搬送波の下側の第１のデジタル搬送波（図３（ｂ）の３１２参照）の部分を検出することがなくなる。即ち、ＩＢＯＣ方式のＡＭ用のＨＤラジオ放送搬送波の下側（低周波数側）の第１のデジタル放送搬送波を検出して、不必要にシーク動作が一旦停止されること及びノイズが出力されることが無くなる。
【００９０】
また、上向きシーク動作の場合に、Ｓ１レベルの閾値をＩＢＯＣ方式のＡＭ用のＨＤラジオ放送搬送波の第２のデジタル放送搬送波（図３（ｂ）の３１４及び３１５参照）のレベルより高く設定することによって、ＩＢＯＣ方式のＡＭ用のＨＤラジオ放送搬送波の第２のデジタル搬送波の部分を検出することがなくなる。即ち、ＩＢＯＣ方式のＡＭ用のＨＤラジオ放送搬送波の第２のデジタル放送搬送波を検出して、不必要にシーク動作が一旦停止されること及びノイズが出力されることが無くなる。
【００９１】
さらに、一旦ＩＢＯＣ方式のＡＭ用のＨＤラジオ放送搬送波を検出した場合には、次のステップを１０ｋＨｚＵＰではなく、一つ飛ばしの２０ｋＨｚＵＰとすることによって（９０５への設定を飛ばす）、ＩＢＯＣ方式のＡＭ用のＨＤラジオ放送搬送波の上側の第１デジタル搬送波（図３（ｂ）の３１３参照）の部分を検出することがなくなる。即ち、ＩＢＯＣ方式のＡＭ用のＨＤラジオ放送搬送波の上側（高周波数側）の第１デジタル放送搬送波を検出して、不必要にシーク動作が一旦停止されること及びノイズが出力されることが無くなる。
【００９２】
図１０は、ＡＭ放送の場合の下向きシーク動作を説明するための図である。
【００９３】
図１０において、矢印１０００は下向きシーク動作の方向（周波数を減少させる方向）を示し、１００１〜１００６は、３ｋＨｚ下方にシフトされた（図８のＳ４５参照）中心周波数を有するＡＭシーク用ＢＰＦ１２０（帯域幅約４ｋＨｚ）を示している。
【００９４】
図９の場合同様、図１０でも、中心周波数９３０ｋＨｚを有するＡＭアナログ放送搬送波９１０と、中心周波数９５０ｋＨｚを有するＩＢＯＣ方式のＡＭ用のＨＤラジオ放送搬送波９２０（図３（ｂ）参照）が９２０〜９７０ｋＨｚの範囲に存在するものとしている。
【００９５】
例えば、ある時点における選局周波数を取得して（図８のＳ３２参照）、ＡＭシーク用ＢＰＦ１２０の中心周波数を取得した周波数から３ｋＨｚ下側にシフトするように調整し（図８のＳ４５参照）、１０ｋＨｚ毎にＡＭシーク用ＢＰＦ１２０の中心周波数をＤＯＷＮさせて（図８のＳ４６参照）、ＡＭシーク用ＢＰＦ１２０の帯域幅中に放送搬送波が存在するか否かを判断していく。
【００９６】
図１０の場合では、ＡＭシーク用ＢＰＦ１２０の帯域幅を１００２とＤＯＷＮさせた時点で、ＩＢＯＣ方式のＡＭ用のＨＤラジオ放送搬送波９２０の第２のデジタル放送搬送波を検出するが、閾値レベルを第２のデジタル放送搬送波より大きく設定することによって、シーク動作を一旦停止しないようにしている（図８のＳ４９参照）。しかしながら、その後、ＮＦ３１の帯域幅を１００３とＤＯＷＮさせた時点で、ＩＢＯＣ方式のＡＭ用のＨＤラジオ放送搬送波９２０のアナログ放送搬送波を検出して、一旦シーク動作が停止する。ＨＤラジオ放送搬送波９２０のアナログ放送波部分を検出した時点で、放送搬送波９２０がＨＤラジオ放送搬送波であることが、ＩＢＯＣ処理部５０を通じて制御部６０において判別される。検出した放送搬送波が、ＨＤラジオ放送搬送波である場合には、次回のステップ設定を１つ飛ばしに設定する（図８のＳ５４参照）。したがって、その後、再度、下向きシーク動作が再開された場合には、ＡＭシーク用ＢＰＦ１２０の帯域幅を１００４とＤＯＷＮさせずに、一回飛ばして１００５となるようにＤＯＷＮさせる。
【００９７】
このように、下向きシーク動作の場合に、シフト周波数より３ｋＨｚ下方にＡＭシーク用ＢＰＦ１２０の中心周波数を設定することによって、ＩＢＯＣ方式のＡＭ用のＨＤラジオ放送搬送波の上側の第１デジタル搬送波（図３（ｂ）の３１３参照）の部分を検出することがなくなる。即ち、ＩＢＯＣ方式のＡＭ用のＨＤラジオ放送搬送波の上側（高周波数側）の第１デジタル放送搬送波を検出して、不必要にシーク動作が一旦停止されること及びノイズが出力されることが無くなる。
【００９８】
また、下向きシーク動作の場合に、Ｓ１レベルの閾値をＩＢＯＣ方式のＡＭ用のＨＤラジオ放送搬送波の第２のデジタル放送搬送波（図３（ｂ）の３１４及び３１５参照）のレベルより高く設定することによって、ＩＢＯＣ方式のＡＭ用のＨＤラジオ放送搬送波の第２のデジタル搬送波の部分を検出することがなくなる。即ち、ＩＢＯＣ方式のＡＭ用のＨＤラジオ放送搬送波の第２のデジタル放送搬送波を検出して、不必要にシーク動作が一旦停止されること及びノイズが出力されることが無くなる。
【００９９】
さらに、一旦ＩＢＯＣ方式のＡＭ用のＨＤラジオ放送搬送波を検出した場合には、次のステップを１０ｋＨｚＤＯＷＮではなく、一つ飛ばしの２０ｋＨｚＤＯＷＮとすることによって（１００４への設定を飛ばす）、ＩＢＯＣ方式のＡＭ用のＨＤラジオ放送搬送波の下側の第１デジタル搬送波（図３（ｂ）の３１２参照）の部分を検出することがなくなる。即ち、ＩＢＯＣ方式のＡＭ用のＨＤラジオ放送搬送波の下側（低周波数側）の第１デジタル放送搬送波を検出して、不必要にシーク動作が一旦停止されること及びノイズが出力されることが無くなる。
【０１００】
なお、上記のＡＭ受信方法の例におけるＡＭシーク用ＢＰＦ１２０の中心周波数のシフト量（３ｋＨｚ）及びＡＭシーク用ＢＰＦ１２０の帯域幅は、一例であって、ＡＭ用のＨＤラジオ放送搬送波のプロファイルとの関係で適切な他の値を選択することが可能である。例えば、ＡＭシーク用ＢＰＦ１２０の中心周波数のシフト量及び帯域幅は、シーク方向に向かって手前側に存在するＡＭ用のＨＤラジオ放送搬送波の第１デジタル放送搬送波を避けるように設定すれば良い。
【０１０１】
上記では、変調方法の異なる２つの放送（ＦＭ放送とＡＭ放送）の両方に適応する受信機について説明したが、一台の受信機が、何れか一方のみに対応するように構成することも可能である。
【０１０２】
上記では、変調方法の異なる２つの放送（ＦＭ放送とＡＭ放送）の場合において、ＩＢＯＣ方式のハイブリッド方式の放送搬送波のアナログ放送搬送波を検出した場合には、次回を１回飛ばすように制御するように説明した（図４のＳ２３、図８のＳ５３）。しかしながら、１回飛ばすように制御する代わりに、次回の検出時のみ第２検知信号の検知レベルを上げて、同じＩＢＯＣ方式のハイブリッド方式の放送搬送波のデジタル放送搬送波を検出しないように制御することも可能である。なお、本明細書の実施例では、ＩＢＯＣ方式の放送搬送波を例にあげて説明したが、同様のハイブリッド方式の放送搬送波についても、同様に適用できる。
【図面の簡単な説明】
【０１０３】
【図１】本発明に係るラジオ受信機の概略構成を示すブロック図である。
【図２】ＩＦプロセッサ回路の概略構成を示す図である。
【図３】ＩＢＯＣ方式のＨＤラジオ放送搬送波を示す図である。
【図４】本発明に係るＦＭ受信方法を示すフロー図である。
【図５】シーク動作を説明するための図（１）である。
【図６】フィルタの切換動作を説明するための図である。
【図７】シーク動作を説明するための図（２）である。
【図８】本発明に係るＡＭ受信方法を示すフロー図である。
【図９】シーク動作を説明するための図（３）である。
【図１０】シーク動作を説明するための図（４）である。
【図１１】シーク動作の不具合を説明するための図である。
【符号の説明】
【０１０４】
１    ラジオ受信機
１０    アンテナ
２０    前処理部
３０    ＩＦフィルタ回路
４０    デジタル処理部
５０    ＩＢＯＣ処理部
６０    制御部
７０    記憶部
８０    操作部
９０    音声出力部
【図１】
2007336050.tif 000003
【図２】
2007336050.tif 000004
【図３】
2007336050.tif 000005
【図４】
2007336050.tif 000006
【図５】
2007336050.tif 000007
【図６】
2007336050.tif 000008
【図７】
2007336050.tif 000009
【図８】
2007336050.tif 000010
【図９】
2007336050.tif 000011
【図１０】
2007336050.tif 000012
【図１１】
2007336050.tif 000013
【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
デジタル放送搬送波が周波数帯域上でアナログ放送搬送波に隣接した両側に位置するように配置されたハイブリッド放送搬送波を受信するラジオ受信機であって、
放送周波数に同調可能な同調部と、
シフト周波数の中心周波数をアナログ放送搬送波を検出可能な範囲で設定し、設定したシフト周波数で前記同調部を同調させる制御部と、
を有することを特徴とするラジオ受信機。
【請求項２】
第１のデジタル放送搬送波が周波数帯域上でアナログ放送搬送波に隣接した両側に位置するように配置され、前記第１のデジタル放送搬送波と前記アナログ放送搬送波との間に第２のデジタル放送搬送波が位置するように配置されたハイブリッド放送搬送波を受信するラジオ受信機であって、
放送周波数に同調可能な同調部と、
シフト周波数の中心周波数を第２のデジタル搬送波を検出可能な範囲で設定し、設定したシフト周波数で前記同調部を同調させる制御部と、
を有することを特徴とするラジオ受信機。
【請求項３】
前記制御部は、前記シフト周波数を前記割当周波数からずらす方向を、選局方向に応じて変更する、請求項１又は２に記載のラジオ受信機。
【請求項４】
前記制御部は、ハイブリッド放送搬送波を検出した場合、次回のシフト周波数のステップ値を変更する、請求項１又は２に記載のラジオ受信機。
【請求項５】
前記制御部は、ハイブリッド放送搬送波を検出した場合、次回の前記放送搬送波検出信号に基づくハイブリッド放送搬送波の検出レベルを変更する、請求項１又は２に記載のラジオ受信機。
【請求項６】
デジタル放送搬送波が周波数帯域上でアナログ放送搬送波に隣接した両側に位置するように配置されたハイブリッド放送搬送波を受信するラジオ受信機におけるハイブリッド放送搬送波検出方法であって、
シフト周波数の中心周波数をアナログ放送搬送波を検出可能な範囲で設定し、
設定したシフト周波数で放送搬送波に同調させる、
ステップを有することを特徴とするラジオ受信機におけるハイブリッド放送搬送波検出方法。
【請求項７】
第１のデジタル放送搬送波が周波数帯域上でアナログ放送搬送波に隣接した両側に位置するように配置され、前記第１のデジタル放送搬送波と前記アナログ放送搬送波との間に第２のデジタル放送搬送波が位置するように配置されたハイブリッド放送搬送波を受信するラジオ受信機におけるハイブリッド放送搬送波検出方法であって、
シフト周波数の中心周波数を第２のデジタル放送搬送波を検出可能な範囲で設定し、
設定したシフト周波数で放送搬送波に同調させる、
ステップを有することを特徴とするラジオ受信機におけるハイブリッド放送搬送波検出方法。